(57)【要約】      （修正有）【課題】家庭等の資源を効率的に収集することを可能にする不用品収集管理システムを提供する。【解決手段】不用品収集管理システムは、登録者の氏名、住所、収集予定日、収集状況及び前払状況を示すデータを記憶する記憶手段と、登録操作に応じて、登録者の氏名、住所及び収集予定日を記憶手段に書き込む登録手段と、登録操作後に、登録者への前払処理を行い、記憶手段の前払状況を更新する前払手段と、記憶手段に記憶された情報を基に、不用品収集を行う対象となる登録者の氏名、住所及び収集予定日を表示及び印刷する処理を行う出力手段と、収集予定日に不用品の収集を行った後に、収集の結果を基に、記憶手段に記憶された収集状況を更新する収集状況更新手段と、を有する。事前に登録者に前払い金を支払い、あとは定期的に資源ごみを回収する。【選択図】図１
0003222235.tif 000002
【実用新案登録請求の範囲】
【請求項１】
不用品の収集管理をする不用品収集管理システムであって、
登録者の氏名、住所、収集予定日、収集状況及び前払状況を示すデータを記憶する記憶手段と、
登録操作に応じて、前記登録者の前記氏名、前記住所及び前記収集予定日を前記記憶手段に書き込む登録手段と、
前記登録操作後に、前記登録者への前払処理を行い、前記記憶手段の前記前払状況を更新する前払手段と、
前記記憶手段に記憶された情報を基に、不用品収集を行う対象となる前記登録者の前記氏名、前記住所及び前記収集予定日を表示及び印刷する処理を行う出力手段と、
前記収集予定日に前記不用品の収集を行った後に、当該収集の結果を基に、前記記憶手段に記憶された前記収集状況を更新する収集状況更新手段と
を有する不用品収集管理システム。
【請求項２】
前記出力手段は、
前記登録者の氏名表示欄と、
前記登録者の住所表示欄と、
前記登録者の収集予定日表示欄と、
前記登録者の収集状況表示欄と、
前記登録者の前払状況表示欄と
が画面あるいは紙面の上から下に順に表示されている
請求項１に記載の不用品収集管理システム。
【考案の詳細な説明】
【技術分野】
【０００１】
本考案は、家庭等で出た不用品（資源ごみ）を収集する不用品収集管理システムに関する。
【背景技術】
【０００２】
従来から、家庭、スーパー、工場、ショッピングモール、オフィスビル等から排出される、段ボール、新聞、雑誌、カン、ペットボトル、金属くず等の資源品を収集することが行われる。
【考案の概要】
【考案が解決しようとする課題】
【０００３】
しかしながら、資源品は、既存の廃棄物処理業者との値段の競争となり、利益確保、新規客獲得が、困難になっている。
【０００４】
本考案はかかる事情に鑑みてなされたものであり、その目的は、家庭等の資源を効率的に収集することを可能にする不用品収集管理システムを提供することにある。
【課題を解決するための手段】
【０００５】
上述した従来技術の問題点を解決し、上述した目的を達成するために、本考案の不用品収集管理システムは、不用品の収集管理をする不用品収集管理システムであって、登録者の氏名、住所、収集予定日、収集状況及び前払状況を示すデータを記憶する記憶手段と、登録操作に応じて、前記登録者の前記氏名、前記住所及び前記収集予定日を前記記憶手段に書き込む登録手段と、前記登録操作後に、前記登録者への前払処理を行い、前記記憶手段の前記前払状況を更新する前払手段と、前記記憶手段に記憶された情報を基に、不用品収集を行う対象となる前記登録者の前記氏名、前記住所及び前記収集予定日を表示及び印刷する処理を行う出力手段と、前記収集予定日に前記不用品の収集を行った後に、当該収集の結果を基に、前記記憶手段に記憶された前記収集状況を更新する収集状況更新手段とを有する。
【０００６】
好適には、前記出力手段は、前記登録者の氏名表示欄と、前記登録者の住所表示欄と、前記登録者の収集予定日表示欄と、前記登録者の収集状況表示欄と、前記登録者の前払状況表示欄とが画面あるいは紙面の上から下に順に表示されている。
【考案の効果】
【０００７】
本考案によれば、家庭等の資源を効率的に収集することを可能にする不用品収集管理システムを提供することができる。
【図面の簡単な説明】
【０００８】
【図１】図１は、本考案の実施形態に係わる不用品収集管理システムの構成図である。
【図２】図２は、図１に示す出力手段によってディスプレイに表示される画面、並びに紙に印刷される文字・画像の表示を説明するための図である。
【図３】図３は、図１に示す不用品収集管理システムの変形例を説明するための図である。
【考案を実施するための形態】
【０００９】
以下、本考案の実施形態に係る不用品収集管理システムについて説明する。
本考案の不用品収集管理システムは、不用品（資源ごみ）を現金買取する仕組みを提供する。
【００１０】
前述した従来の状況から、本考案の不用品収集管理システムでは、視点を変えて、まだ他業者の参入が少ない一般家庭と資源品の年間での買い取り契約書を交わし、確実に資源品が集まるシステムを構築する。
【００１１】
[一般家庭に狙いを定める背景]
アマゾン（登録商標）、楽天（登録商標）、ヤフー（登録商標）などネットショッピングの梱包は、主に段ボー ルである。新聞や週刊誌などの雑誌は、家庭から集積所に出される。カンやペットボトルも同様である。自転車なども集団回収でリサイクルに出したり、粗大ゴミとして、有料回収の地域もあるのが現状である。
お年寄りだけの家庭もあり、資源品を集積所に出しにいくのも苦労している。そこで、集積所に資源品を出される前に確保する方法である。住民から資源品以外の粗大ゴミ回収の相談を受けた場合、許可のある業者の紹介ができる事が強みである。
【００１２】
[事業の目的]
本考案の不用品収集管理システムを用いたサービスでは、他社が未だに参入していない未知の分野に先駆者としてのシェアの独占。契約による安定的な資源品（有価物）の確保をすることを目的とする。
【００１３】
[事業のコンセプト]
本考案の不用品収集管理システムを用いたサービスにより、顧客となる一般家庭では、玄関先に資源品を出す事で集積所まで運ぶ手間が省ける。買い取り契約なので家計の足しになる。収集品目(段ボール、新聞、雑紙、缶、ペットボトル、びん、金属くず(家電は除く)、自転車等)、運営者では、新聞、雑誌、段ボール、カン、ペットボトル、金属くず(家電を除く)、など売却益が見込める。自転車などは、所定の企業に、例えば大５００円、小２５０円で売却できる。 びんについては、処理費がかかりますが、資源品を集める必要経費と考える。一般家庭から粗大ゴミなどの相談があった場合、許可業者への仲介手数料が見込める。
【００１４】
[試験回収の実施について]
先ず、チラシと契約書を作製し、対象地域に集中的にチラシを配布する。回収効率や燃料節約を考えて、 家族が多様な団地や住宅街を選定する。反響があった家庭に１１００番のパッカー車と８７１１の箱車の２台もしくは箱車１台で回収に行く。回収日は基本的に週一回で、契約時に契約書と引き換えに代金を支払う。専用の資源回収容器を当社で用意して玄関先に置いてもらう。
【００１５】
[コンプライアンスについて]
段ボール等、資源品は専ら物に該当し基本的に許可は要らない。その上、資源品の個人との売買契約を結ぶ事で、 物にあたらず有価物(商品になります)なので一般廃棄物収集許可と集団回収業者登録も不要である。自転車等も当社が保有する古物商の許可での買い取りとなり合法である。
【００１６】
[回収スケジュールについて]
発布スチロールの回収がない、所定の曜日の午後が適切である。
【００１７】
図１は、本考案の実施形態に係わる不用品収集管理システム１１の構成図である。
不用品収集管理システム１１は、不用品の収集管理をするシステムであり、運用者によって使用される。
【００１８】
不用品収集管理システム１１は、例えば、操作手段３１、記憶手段３３、登録手段３５、前払手段３７、出力手段３９及び収集状況更新手段４１を有する。
【００１９】
操作手段３１は、タッチパネル、キーボード、マウス等の操作入力手段である。
記憶手段３３は、登録者の氏名、住所、収集予定日、収集状況及び前払状況を示すデータを記憶する。
登録手段３５は、ユーザによる操作手段３１の登録操作に応じて、登録者の氏名、住所及び収集予定日を記憶手段３３に書き込む処理を行う。登録者は、不用品収集サービスを受ける者である。
【００２０】
前払手段３７は、登録操作後に、登録者への前払処理を行い、記憶手段３３前払状況を更新する処理を行う。本サービスでは、運営者が登録者と登録を結ぶと所定の前払金を登録者の口座に振り込んだり、現金で手渡す。
【００２１】
出力手段３９は、ユーザによる操作手段３１の操作に応じて、記憶手段３３に記憶された情報を基に、不用品収集を行う登録者の氏名、住所及び収集予定日を表示及び印刷する処理を行う。
【００２２】
図２は、図１に示す出力手段３９によってディスプレイに表示される画面、並びに紙に印刷される文字・画像の表示１０１を説明するための図である。
図２に示すように、表示１０１には、登録者の氏名表示欄５１と、登録者の住所表示欄５３と、登録者の収集予定日表示欄５５と、登録者の収集状況表示欄５７と、登録者の前払状況表示欄５９と上から下に順に表示されている。
【００２３】
収集状況更新手段４１は、収集予定日に登録者から不用品の収集を行った後に、当該収集の結果を基に、記憶手段３３に記憶された収集状況を更新する処理を行う。
【００２４】
本実施形態によれば、利用者（登録者）は、資源回収容器（専用の回収ボックス）に資源ごみを入れてるだけで分別する手間が省ける。また、これまでタダで捨てていた資源ごみから現金収入が得られる。
また、利用者は、玄関前に資源回収容器を出すだけで、ごみ集積所まで運ぶ必要がなく便利である。
また、資源回収容器は、例えば週１回等、運用者によって定期回収されるので、家に資源ごみが溜まることがない。
また、資源回収容器を、折り畳み式のものにすることで、不要時には畳んで収納できる。
【００２５】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した図１に示す不用品収集管理システム１１は、図３に示すコンピュータ２０１で実現してもよい。
【００２６】
図２に示すように、コンピュータ２０１は、例えば、通信部１２１、メモリ１２３及び処理部１２５を少なくとも備え、これらがバス１２０を介して接続されている。
【００２７】
通信部１２１は、外部装置と通信してデータ（情報）及び要求の送受信をする。
【００２８】
メモリ１２３は、処理部１２５の処理に用いられるデータ及びプログラムＰＲＧを記憶する。
図２に示すように、メモリ２３は、例えば、図１に示す記憶手段３３に記憶された情報が記憶されている。
【００２９】
処理部１２５は、プログラムＰＲＧを実行して図１に示す各ブロックの機能を実現する。
【産業上の利用可能性】
【００３０】
本考案は、不用品収集管理システムに適用可能である。
【符号の説明】
【００３１】
１１…不用品収集管理システム
３１…操作手段
３３…記憶手段
３５…登録手段
３７…前払手段
３９…出力手段
４１…収集状況更新手段
１０１…表示
５１…氏名表示欄
５３…住所表示欄
５５…収集予定日表示欄
５７…収集状況表示欄
５９…前払状況表示欄
【図１】
0003222235.tif 000003
【図２】
0003222235.tif 000004
【図３】
0003222235.tif 000005